(57)【要約】【課題】  負荷部に印加する低電力モード用電源と高電力モード電源と間で供給選択が可能であり、良好な省電力効果が得られるようにする。【解決手段】  負荷部５は、通常モードと省電力モードとの切換指示に基づき、それらで切り換え動作する。第１の電源部１は、負荷部５に供給する省電力モード用の第１の電源Ｖ１を外部電源１３から生成する。第２の電源部３は、負荷部５に供給する通常モード用の第２の電源Ｖ２であって、第１の電源Ｖ１より高い電圧の第２の電源Ｖ２を外部電源１３から生成する。電源制御部９は、切換指示に基づき第２の電源部３を起動制御させて第２の電源Ｖ２を負荷部５側に出力する。ブロック部１１は、第１の電源Ｖ１を負荷部５に供給し、第２の電源Ｖ２が出力されたとき、この第１の電源部１側への入力をブロックする。【選択図】  図１
2011154227.tif 000002
【特許請求の範囲】
【請求項１】
装置本来の動作をさせる通常モードと、起動に必要な部分に電源を供給して省電力化を図る省電力モードとの切換指示に基づき、前記通常モードおよび前記省電力モードとで切り換え動作する負荷部と、
この負荷部に供給する前記省電力モード用の第１の電源を外部電源から生成する第１の電源部と、
前記負荷部に供給する前記通常モード用の第２の電源であって、前記第１の電源より高い電圧の前記第２の電源を前記外部電源から生成する第２の電源部と、
通常モードへの前記切換指示に基づき前記第２の電源部を起動制御させて前記第２の電源を前記負荷部側に出力する電源制御部と、
前記第１の電源を前記負荷部に供給するとともに、前記第２の電源が出力されたとき前記第１の電源部側への入力をブロックして前記第２の電源を前記負荷部に供給するブロック部と、
を具備することを特徴とする電源制御装置。
【請求項２】
前記負荷部における前記省電力モードから前記通常モードへの切り換え動作による電流変化を検出する電流検出部を有し、前記電源制御部は、前記切換指示とともに、前記電流検出部からの検出情報に基づき前記負荷部における前記電流変化が前記省電力モード状態時よりも高いとき、前記第２の電源部を起動制御する請求項１記載の電源制御装置。
【請求項３】
前記第１の電源部は前記第１の電源を常時生成する請求項１又は２記載の電源制御装置。
【請求項４】
前記ブロック部は、前記第１の電源部の出力側から前記第２の電源部の出力側に順方向接続されたダイオードである請求項１〜３いずれか１記載の電源制御装置。
【請求項５】
前記請求項１〜４いずれか１記載の電源制御装置を有し、画像データに基づき画像形成する画像形成装置。
【発明の詳細な説明】
【技術分野】
【０００１】
本発明は電源制御装置および画像形成装置に係り、例えば電子写真方式の複写機、ファクシミリ機又はこれらの機能を有する複合機（ＭＦＰ：Multi Function Peripheral）等の画像形成装置に搭載して好適する電源制御装置および当該画像形成装置の改良に関する。
【背景技術】
【０００２】
従来、画像形成装置にあっては、原稿用紙上の画像原稿から画像データを光学的に読み取り、その画像データに基づきトナー剤でトナー像を形成して用紙に転写定着させて印刷する構成が一般的である。
【０００３】
しかも、画像形成装置は、一般に、省電力化の要請から、全ての動作の確保が可能な通常モードと、その通常モードへの起動に必要な構成のみに電源を供給し、その他の構成には電源供給を遮断する省電力モードとの選択が可能になっており、所定期間にわたって操作がなされないとき、省電力モードに自動的に移行可能な構成を有している。
【０００４】
この種の省電力モードを有する機器の従来例としては、例えば特開２００４−１２８６８号公報（特許文献１）のような画像形成装置用電源装置が提案されている。
【０００５】
この特許文献１は、負荷に所定のＤＣ電圧を供給する複数のＤＣ−ＤＣコンバータと、これらのＤＣ−ＤＣコンバータを選択的に負荷に接続する選択手段を有し、画像形成装置における待機状態における効率を改善し、待機状態における省エネルギー化を可能にするものである。
【先行技術文献】
【特許文献】
【０００６】
【特許文献１】特開２００４−１２８６８号公報
【発明の開示】
【発明が解決しようとする課題】
【０００７】
しかし、上述した特許文献１では、低出力モード用電源と高出力モード電源を常時起動しておき、必要なときにそれらの電源切り換えを行う構成であり、省電力モード中でも他方の電源が起動状態にあり、消費電力を低下させることにはならず、良好な省電力効果を得るには更なる工夫が必要である。
【０００８】
また、低出力モード用電源と高出力モード電源との間で電源を切り換える場合、切り換え時の動作を確保する観点から、電源起動に切れ目を生じさせない構成が必要であり、これを実現させるための制御構成が複雑となり易い難点もあった。
【０００９】
本発明はそのような課題を解決するためになされたもので、単純な制御によって低電力モード用電源と高電力モード電源と間で選択が可能であり、良好な省電力効果の得られる電源制御装置および画像形成装置の提供を目的とする。
【課題を解決するための手段】
【００１０】
そのような課題を解決するために本発明の請求項１に係る電源制御装置は、装置本来の動作をさせる通常モードと、起動に必要な部分に電源を供給して省電力化を図る省電力モードとの切換指示に基づき、それら通常モードおよび省電力モードとで切り換え動作する負荷部と、この負荷部に供給する省電力モード用の第１の電源を外部電源から生成する第１の電源部と、その負荷部に供給する通常モード用の第２の電源であって、その第１の電源より高い電圧の第２の電源を外部電源から生成する第２の電源部と、通常モードへの切換指示に基づき第２の電源部を起動制御させて第２の電源を負荷部側に出力する電源制御部と、その第１の電源を負荷部に供給するとともに、その第２の電源が出力されたときその第１の電源部側への入力をブロックして第２の電源を負荷部に供給するブロック部と、を具備している。
【００１１】
本発明の請求項２に係る電源制御装置は、上記負荷部における省電力モードから通常モードへの切り換え動作による電流変化を検出する電流検出部を有し、その電源制御部は、その切換指示とともにその電流検出部からの検出情報に基づき負荷部における所定部分の電流が省電力モード状態時よりも高いとき、第２の電源部を起動制御する構成である。
【００１２】
本発明の請求項３に係る電源制御装置は、上記第１の電源部がその第１の電源を常時生成する構成である。
【００１３】
本発明の請求項４に係る電源制御装置は、上記ブロック部が、その第１の電源部の出力側から第２の電源部の出力側に順方向接続されたダイオードである構成である。
【００１４】
本発明の請求項５に係る画像形成装置は、上記請求項１〜４いずれか１記載の電源制御装置を有し、画像データに基づき画像形成する構成を有している。
【発明の効果】
【００１５】
このような本発明の請求項１に係る電源制御装置では、省電力モードに切換えられた負荷部に対し、通常モードの切換指示が入力されると、電源制御部がその通常モードの切換指示に基づき第２の電源部を起動制御して第２の電源を負荷部側に出力し、ブロック部がその第２の電源の第１の電源部側への入力をブロックして第２の電源が負荷部に供給され、逆の場合には、第２の電源部の起動が停止制御されて第１の電源が負荷部側に出力されるから、単純な制御により、第１の電源である低電力モード用電源と第２の電源である高電力モード電源と間で、電源の供給選択が可能であり、良好な省電力モード効果も得られる。
【００１６】
本発明の請求項２に係る電源制御装置では、上記電源制御部が、その切換指示とともに、電流検出部からの検出情報に基づき負荷部における所定部分の電流が省電力モード状態時よりも高いとき、第２の電源部を起動制御するから、上述した効果に加えて、低電力モード用電源と高電力モード電源と間で、より確実な選択が可能である。
【００１７】
本発明の請求項３に係る電源制御装置では、上記第１の電源部がその第１の電源を常時生成するから、低出力モード用電源の印加状態から高出力モード電源の印加状態への電源切換え時に、電源起動の切れ目を生じさせ難い。
【００１８】
本発明の請求項４に係る電源制御装置では、上記ブロック部がダイオードからなるから、特に構成の簡素化が容易である。
【図面の簡単な説明】
【００１９】
【図１】本発明に係る電源制御装置を示す概略ブロック図である。
【図２】本発明に係る画像形成装置の概略を示す概略ブロック図である。
【発明を実施するための最良の形態】
【００２０】
以下、本発明に係る電源制御装置および画像形成装置の実施の形態を図面を参照して説明する。
【００２１】
図１は本発明に係る電源制御装置Ａの実施の一形態を示す概略ブロック図である。
【００２２】
図１において、本発明に係る電源制御装置Ａは、第１の電源部１、第２の電源部３、負荷部５、電流検出部７、電源制御部９およびブロック部１１等を有して構成されている。
【００２３】
第１の電源部１は、例えば商用電源等の外部電源１３からの交流１００Ｖを入力し、これを直流変換するスイッチングレギュレータであって低出力で効率が高くなるように設定されており、１．１Ｖ程度の低い直流の第１の電源Ｖ１を生成出力するもので、ブロック部１１の入力（アノード）側に接続されている。第１の電源部１は、常時駆動されて、省電力モード等の省エネモード時に負荷部５に第１の電源Ｖ１を供給する機能を有する。
【００２４】
第２の電源部３は、商用電源等の外部電源１３からの交流１００Ｖを入力し、これを直流変換するＤＣ−ＤＣコンバータであって高出力で効率が高くなるように設定されており、１．５Ｖ程度で第１の電源Ｖ１より高い直流の第２の電源Ｖ２を生成出力するもので、ブロック部１１の出力（カソード）側に接続されている。
【００２５】
第２の電源部３は、後述するように電源制御部９によって起動されるとともに駆動継続され、通常モード時に負荷部５に第２の電源Ｖ２を供給する機能を有する。
【００２６】
ここで、通常モードは装置本来の全ての動作をさせるモードであり、省電力モードはその装置の起動に必要な部分に電源を供給して省電力化を図る、例えばスリープモードである。
【００２７】
ブロック部１１はダイオードからなり、アノード側電圧がカソード側電圧より高いとき導通し、アノード側電圧がカソード側電圧より低いとき導通を遮断するものである。
【００２８】
すなわち、第１の電源部１から第１の電源Ｖ１の出力があって第２の電源部３から第２の電源Ｖ２の出力がないとき、第１の電源部１からの第１の電源電流を負荷部５に供給する機能を有し、逆の場合には、第１の電源部１からの第１の電源電流を遮断するとともに、第２の電源部３からの第２の電源Ｖ２の第１の電源部１側への入力（回り込み）をブロックする機能を有している。
【００２９】
負荷部５は、第１の電源部１からの第１の電源Ｖ１又は第２の電源部３からの第２の電源Ｖ２によって動作する例えば後述する画像形成装置Ｂであり、外部からの通常モードと省電力モードとの選択指示に基づき、内部の構成要素を切り換えて通常モード又は省電力モードで動作するようになっている。
【００３０】
電流検出部７は、負荷部５において、省電力モードから通常モードへの切換え動作に伴って動作変動する部分の電流をモニタし、この電流検出情報を電源制御部９に出力するものである。切換え動作に伴って動作変動する部分は、例えば後述する印刷部２３への供給電流等が考えられる。
【００３１】
なお、電流検出部７によるその電流検出タイミングは、負荷部５への切換指示の入力タイミングに対し、内部の切換え動作に基づく電流変化に起因することから、若干遅れるようになっている。
【００３２】
電源制御部９は、通常モードを選択する切換情報が入力されるとともに、電流検出部７からの検出情報に基づき負荷部５における電流状態が省電力モード状態よりも高いとき、第２の電源部３を起動させて第２の電源Ｖ２を負荷部５側に出力してこれを維持し、省電力モードを選択する切換情報が入力されたとき、電流検出部７からの検出信号に基づき負荷部５における電流状態が通常モード状態よりも低いとき、第２の電源部３を動作停止させる機能を有している。
【００３３】
次に、本発明に係る電源制御装置Ａの動作を簡単に説明する。
【００３４】
省電力モードが選択されると、第１、第２の電源部１、３のうち第１の電源部１のみが起動して低い第１の電源Ｖ１がブロック部１１を介して負荷部５に供給される。
【００３５】
そして、通常モードを選択する切換情報が負荷部５および電源制御部９に入力されると、負荷部５では通常モード時に動作する内部構成が起動開始して駆動電流が増加し、この電流増大が電流検出部７からの検出情報となって電源制御部９に加えられる。
【００３６】
電源制御部９は、通常モードを選択する切換情報と、電流検出部７からのその検出情報に基づき、第２の電源部３を起動させて第２の電源Ｖ２を負荷部５側に出力する。
【００３７】
このとき、負荷部５における通常モード変更に基づく駆動電流が若干遅延して増大するから、電源制御部９は、通常モードを選択する切換情報が入力されてから、若干の遅延を伴って第２の電源部３を起動制御する。
【００３８】
さらに、第２の電源部３を起動させた状態では、ブロック部１１では出力端側の電位が高いから、第１の電源部１からの第１の電源Ｖ１がブロックされる一方、負荷部５に印加され第２の電源部３からの第２の電源Ｖ２が第１の電源部１に回り込まずに負荷部５に印加される。
【００３９】
そのため、省電力モードから通常モードへの切換え時に、第１の電源部１が起動状態にあって切換えタイミング調整が不要となるし、省電力モードでは第２の電源部３を停止させることにより、より省電力効果が高くなる。
【００４０】
次に、上述した電源制御装置Ａを搭載した本発明の画像形成装置Ｂを図２を参照して説明する。
【００４１】
図２において、画像形成装置Ｂは、主制御部１５を中心にして画像取込部１７、記憶部１９、操作パネル部２１および印刷部２３を有し、上述した負荷部５であって例えば複合機を構成している。なお、画像形成装置Ｂとしてはこれ以外にも種々の構成を有するが、本発明の要部ではないので説明および図示を省略する。
【００４２】
それら主制御部１５、画像取込部１７、記憶部１９、操作パネル部２１および印刷部２３に対し、上述した電源制御装置Ａからの第１の電源Ｖ１又は第２の電源Ｖ２が供給される。
【００４３】
主制御部１５は、画像取込部１７、記憶部１９、操作パネル部２１および印刷部２３を制御するものであるが、詳細は後述する。
【００４４】
画像取込部１７は、図示しない本体ケースの上部に配置され、主制御部１５の制御の下、原稿画像の表示された原稿用紙から当該紙面の画像状態を光学的に読み込み、フィルタ処理等をして電子的画像データを生成する公知のスキャナー等であり、生成した紙面画像データが原稿の頁毎に記憶部１９に順次記憶されるようになっている。
【００４５】
記憶部１９は、画像取込部１７からの画像データ、主制御部１５の動作プログラムおよび動作画面等を格納する読み書き可能な例えばハードディスク（ＨＤＤ）である。
【００４６】
操作パネル部２１は、本体ケースの上部に配置され、画像形成装置Ｂの動作状態を表示する液晶形の表示部として機能するとともに、その表示部の上に重ねられた透過性を有するタッチスイッチ形の入力部としての機能を有し、主制御部１５によって制御される。
【００４７】
印刷部２３は、本体ケース内に配置され、給紙段から用紙を給紙し、給紙し搬送された用紙の片面又は両面に対し、上述した画像データを展開した印刷イメージデータに基づきトナー剤でトナー像を画像形成して用紙に転写定着させ、モノクロ印刷又はカラー印刷して排紙するよう形成され、画像形成部として機能する。
【００４８】
図２中の電源制御装置Ａおよびこの内部構成である電流検出部７は、上述した機能を有しており、画像形成装置Ｂを構成する。
【００４９】
すなわち、電流検出部７は、例えば操作パネル部２１からの通常モードと省電力モードの選択指示に基づき、内部の構成要素の切換え動作を監視し、省電力モードから通常モードへの切換え動作によって構成要素に流れる電流を検出する機能を有する。
【００５０】
主制御部１５は、ＣＰＵ、このＣＰＵの起動プログラムを格納したメモリ部、入出力インターフェース（いずれも図示せず。）を有し、上述した画像取込部１７、記憶部１９、操作パネル部２１および印刷部２３を制御するとともにその一部を担っている。
【００５１】
このように本発明に係る電源制御装置Ａは、通常モードと省電力モードとの切換指示に基づき、それら通常モードおよび省電力モードとで切り換え動作する負荷部５と、この負荷部５に供給する省電力モード用の第１の電源Ｖ１を外部電源１３から生成する第１の電源部１と、その負荷部５に供給する通常モード用の第２の電源Ｖ２であって、その第１の電源Ｖ１より高い電圧の第２の電源Ｖ２を外部電源１３から生成する第２の電源部３と、その通常モードへの切換指示に基づき第２の電源部３を起動制御させて第２の電源Ｖ２を負荷部５側に出力する電源制御部９と、その第１の電源Ｖ１を負荷部５に供給するとともに、その第２の電源Ｖ２が出力されたとき第１の電源部１側への入力をブロックして第２の電源Ｖ２を負荷部５に供給するダイオードからなるブロック部１１と、を具備している。
【００５２】
そのため、第１の電源Ｖ１である低電力モード用電源と第２の電源Ｖ２である高電力モード電源と間で、電源の供給選択が可能であり、良好な省電力効果が得られるうえ、制御も単純であるとともに構成も簡単である。
【００５３】
しかも、電源制御部９が、その切換指示とともに、電流検出部７からの検出情報に基づき負荷部５における電流が省電力モード状態時よりも高いとき、第２の電源部３を起動制御するから、上述した効果に加えて、低電力モード用電源と高電力モード電源と間で、より確実な選択が可能である。
【００５４】
さらに、第１の電源部１にて第１の電源Ｖ１を常時生成して負荷部５に出力するから、第２の電源部３を起動／停止するときにも第１の電源部１が起動状態にあるため、切り換えのタイミングの調整が不要となるし、低出力モード用電源の印加状態から高出力モード電源印加状態への電源切換え時に、電源起動に切れ目を生じさせ難い。
【００５５】
なお、上述したブロック部１１はダイオードに限定されず、電子的又は機構的スイッチ部材で実施可能であり、要は、第１の電源を負荷部５に供給するとともに、第２の電源が出力されたとき、第１の電源Ｖ１をブロックするとともに第２の電源Ｖ２の第１の電源部１側への回り込みを防止し、第２の電源を負荷部５に供給する部材であれば本発明の実施が可能であるが、構成が簡単で安価であることからダイオードが好適する。
【００５６】
さらに、本発明に係る画像形成装置Ｂは、複写機、ファクシミリ機、複合機等において実施可能であり、電源制御装置Ａと同様の効果を有する。
【符号の説明】
【００５７】
１  第１の電源部
３  第２の電源部
５  負荷部（画像形成装置）
７  電流検出部
９  電源制御部
１１  ブロック部
１３  外部電源
１５  主制御部
１７  画像取込部
１９  記憶部
２１  操作パネル部（入力部、表示部）
２３  印刷部
Ａ  電源制御装置
Ｂ  画像形成装置（負荷部）
【図１】
2011154227.tif 000003
【図２】
2011154227.tif 000004